(57)【特許請求の範囲】
【請求項１】
シートを取込口から装置本体内に取り込む取込手段と、
前記取込口にてシートの有無を検知するシート検知手段と、
前記装置本体内で、シートに対し、処理開始命令を受けると待機状態となり、前記シート検知手段がシートを検知すると処理を開始する第１処理又は処理開始命令を受けたときに、前記シート検知手段がシートを検知していれば処理を開始する第２処理を行う処理手段と、
前記装置本体が、ユーザーの手で支えられたシートを前記取込口から取り込む状態にあることを検出する検出手段と
を備え、
前記処理手段は、前記検出手段によって、ユーザーの手で支えられたシートを前記取込口から取り込む状態にあることを検出した場合、前記第１処理を実行し、
前記検出手段によって、ユーザーの手で支えられたシートを前記取込口から取り込む状態にあることを検出しなかった場合、前記第２処理を実行することを特徴とするシート処理装置。
【請求項２】
前記取込口に設けられ、前記取込口からの原稿の給紙時に原稿が積載される前部フレームを備え、
前記検出手段は、前記前部フレームの傾きを検出する傾き検出手段であり、
前記処理手段は、前記傾き検出手段によって、ユーザーの手で支えられたシートを前記取込口から取り込む状態にあることを検出した場合、前記第１処理を実行し、
前記傾き検出手段によって、ユーザーの手で支えられたシートを前記取込口から取り込む状態にあることを検出しなかった場合、前記第２処理を実行することを特徴とする請求項１に記載のシート処理装置。
【請求項３】
前記検出手段は、ユーザーの手を検知可能な距離センサであり、
前記処理手段は、前記距離センサによって、ユーザーの手で支えられたシートを前記取込口から取り込む状態にあることを検出すると、前記第１処理を実行し、
前記距離センサによって、ユーザーの手で支えられたシートを前記取込口から取り込む状態にあることを検出しなかった場合、前記第２処理を選択してシートに対する処理を実行することを特徴とする請求項１に記載のシート処理装置。
【請求項４】
前記処理手段は、画像読取手段が読み取った画像データの画像処理を行う画像処理手段であり、
前記第１処理と前記第２処理とは、異なる画像処理の条件に基づく画像処理であることを特徴とする請求項１から３のいずれか一項に記載のシート処理装置。
【請求項５】
原稿画像を読み取る原稿読取手段と、
原稿を取込口から給紙する原稿給紙手段と、
前記取込口にて原稿の有無を検知する原稿検知手段と、
給紙された原稿を画像読取手段に向け送り込む原稿送り手段と、を有する画像読取装置において、
前記画像読取装置が、ユーザーの手で支えられた原稿を前記取込口から取り込む状態にあることを検出する検出手段と、
前記画像読取装置が画像読取処理開始命令を受けると待機状態となり、前記原稿検知手段が原稿を検知すると処理を開始する第１の原稿読取形態と、
前記画像読取装置が画像読取処理開始命令を受けたときに、前記原稿検知手段が原稿を検知していれば処理を開始する第２の原稿読取形態と、を備え、
前記検出手段の検出結果に基づいて、前記第１の原稿読取形態もしくは前記第２の原稿読取形態のどちらかを選択し、原稿の読み取りを開始することを特徴とした画像読取装置。
【請求項６】
前記原稿検知手段にて原稿を検知するまで原稿読取の開始を待つ原稿読取開始待機手段をさらに備え、
前記第１の原稿読取形態は、装置が画像読取処理開始命令を受けると、前記原稿読取開始待機手段によって待機し、前記原稿検知手段による原稿検知後に画像読取を開始し、
前記第２の原稿読取形態は、装置が画像読取処理開始命令を受けたときに、前記原稿検知手段により原稿を検知した場合に画像読取を開始することを特徴とする請求項５に記載の画像読取装置。
【請求項７】
前記取込口に設けられ、前記取込口からの原稿の給紙時に原稿が積載される前部フレームと、
原稿画像内の原稿部分の傾きを補正する原稿画像傾き補正手段とをさらに備え、
前記前部フレームが所定の角度でないときには前記第１の原稿読取形態を、前記前部フレームが前記所定の角度であるときには前記第２の原稿読取形態を選択し、
前記第１の原稿読取形態は、前記原稿画像傾き補正手段で、読取った画像を傾き補正し、
前記第２の原稿読取形態は、傾き補正処理を行わずに原稿を読取ることを特徴とする請求項５または６に記載の画像読取装置。
【請求項８】
シートを装置本体内に取り込む取込手段と、
前記シートを原稿検知センサで検知するとスキャンを開始することで前記シートの取り込みに関するユーザーの負担を軽減するオートスキャンスタート機能がＯＮとなる第１処理又は前記オートスキャンスタート機能がＯＦＦとなる第２処理を行う処理手段と、
前記取込手段により前記シートが取り込まれる際に前記シートがユーザーの手で支えられた状態であるかどうかを検出する検出手段と、を備え、
前記処理手段は、前記検出手段の検出結果に基づいて、前記第１処理又は前記第２処理を選択してシートに対する処理を実行することを特徴とするシート処理装置。
【発明の詳細な説明】
【技術分野】
【０００１】
本発明は、シートに対して所定の処理を施すシート処理装置、及びシートの一例としての原稿の画像を読み取る画像読取装置に関する。
【背景技術】
【０００２】
従来、この種の装置において、原稿読取部が内蔵された装置本体を形成する筐体の後面部側に、給紙トレイを配置し、この給紙トレイ上に原稿をセットして、筐体の後面部側から原稿を一枚ずつ送り込んで前面部側に向け排紙する構成の画像読取装置がある。
【０００３】
また、給紙トレイをなくし、装置の前面開口部に原稿の入口（給紙口）と出口（排紙口）を設け、入口側から原稿給紙手段により原稿を給紙し、Ｕターンさせて原稿読取手段に導くとともに、原稿排紙手段により原稿を装置前面開口部の出口側に向け排紙する構成が知られている（特許文献１参照）。
【０００４】
この特許文献１の構成により、原稿の入口と出口が同じ筐体の前面開口部側となり、コンパクトになり、給紙トレイをなくした分、装置が小さくなる。しかしながら、このＵターン構成の装置でも、原稿を給紙口にセットする広さが必要になる。例えば、図１１（ａ）のように、原稿を給紙口に平置きして使用する場合、机４０が給紙口の原稿を支持する役割を担っている。一方、図１１（ｂ）のように原稿を給紙口にセットする広さがない場合、給紙口の原稿を支持するものがないため、ユーザーは原稿を手で支えながら読取を行う必要がある。
【先行技術文献】
【特許文献】
【０００５】
【特許文献１】特開平５−１４５９３号公報
【発明の概要】
【発明が解決しようとする課題】
【０００６】
ここで、図１１（ｂ）のような場合、画像読取装置が給紙口を監視し原稿が挿入されるとスキャンを開始する機能（オートスキャンスタート機能）を設けると、ユーザーは原稿を手で支えながら、画像読取装置にスキャン命令を出すという２つのことを同時に行わずに給紙口に原稿を挿入するだけで読取が行える。
【０００７】
一方、図１１（ａ）のように原稿を置くスペースがあり、原稿を給紙口に挿入した後、原稿を手で揃える等、ユーザーのタイミングで原稿の読取を開始する場合もある。
【０００８】
このように、画像読取装置の設置場所によって、ユーザーの対応が異なるため、ユーザーにとって手間となる場合がある。
【０００９】
本発明は、シートの処理に対してユーザーの手間を省くことができる技術を提供する。
【課題を解決するための手段】
【００１０】
本発明のシート処理装置は、
シートを取込口から装置本体内に取り込む取込手段と、
前記取込口にてシートの有無を検知するシート検知手段と、
前記装置本体内で、シートに対し、処理開始命令を受けると待機状態となり、前記シート検知手段がシートを検知すると処理を開始する第１処理又は処理開始命令を受けたときに、前記シート検知手段がシートを検知していれば処理を開始する第２処理を行う処理手段と、
前記装置本体が、ユーザーの手で支えられたシートを前記取込口から取り込む状態にあることを検出する検出手段と
を備え、
前記処理手段は、前記検出手段によって、ユーザーの手で支えられたシートを前記取込口から取り込む状態にあることを検出した場合、前記第１処理を実行し、
前記検出手段によって、ユーザーの手で支えられたシートを前記取込口から取り込む状態にあることを検出しなかった場合、前記第２処理を実行することを特徴とする。
【００１１】
また、本発明の画像読取装置は、
原稿画像を読み取る原稿読取手段と、
原稿を取込口から給紙する原稿給紙手段と、
前記取込口にて原稿の有無を検知する原稿検知手段と、
給紙された原稿を画像読取手段に向け送り込む原稿送り手段と、を有する画像読取装置において、
前記画像読取装置が、ユーザーの手で支えられた原稿を前記取込口から取り込む状態にあることを検出する検出手段と、
前記画像読取装置が画像読取処理開始命令を受けると待機状態となり、前記原稿検知手段が原稿を検知すると処理を開始する第１の原稿読取形態と、
前記画像読取装置が画像読取処理開始命令を受けたときに、前記原稿検知手段が原稿を検知していれば処理を開始する第２の原稿読取形態と、を備え、
前記検出手段の検出結果に基づいて、前記第１の原稿読取形態もしくは前記第２の原稿読取形態のどちらかを選択し、原稿の読み取りを開始することを特徴とする。
【発明の効果】
【００１２】
本発明によれば、シートの処理に対してユーザーの手間を省くことができるシート処理装置又は画像読取装置を実現できる。また、例えば、給紙トレイ等をなくした構成の装置構成において、装置の設置場所によって、ユーザーが読取設定を選択する手間を解消することが可能となる。
【図面の簡単な説明】
【００１３】
【図１】本発明の一実施形態に係る画像読取装置の概略図。
【図２】電気回路の概略図。
【図３】システム構成の概略図。
【図４】ソフトウェア構成の概略図、
【図５】ユーザーインターフェースの概略図。
【図６】オートスキャンスタート処理機能ＯＮとＯＦＦのシーケンス図。
【図７】画像読取装置の設置例。
【図８】画像読取装置の設置例。
【図９】設置位置検知部の概略図。
【図１０】設定切り替え処理のシーケンス図。
【図１１】画像読取装置の設置例。
【図１２】斜行補正処理の説明図。
【図１３】画像読取装置の設置例。
【図１４】搬送速度制御のシーケンス。
【図１５】画像読取装置の設置例。
【図１６】画像読取装置正面図。
【発明を実施するための形態】
【００１４】
以下に図を参照して、この発明を実施するための実施の形態を説明する。ただし、この説明で記載されている構成部品の寸法、材質、形状それらの相対配置などは、発明が適用される装置の構成や各種条件により適宜変更されるべきものであり、この発明の範囲を以下の実施形態に限定する趣旨のものではない。
【００１５】
図１は実施形態に係る画像読取装置１の一例を示す図である。
図１において、画像読取装置１は、回転軸８３ａを中心に回動可能な前部フレーム８３と、原稿Ｄをピックアップするピックアップローラ（装置内への取込手段の一例）２と、ピックアップされた原稿Ｄを１枚ずつ分離する分離ローラ４と、分離された原稿Ｄを装置内に給送する給送ローラ３と、原稿Ｄを搬送するレジストローラ５とを備える。
【００１６】
また、本実施形態の画像読取装置１は、原稿Ｄの上面（表面）の画像情報を読み取るイメージセンサー６１と、原稿Ｄの下面（裏面）の画像情報を読み取るイメージセンサー６２と、原稿Ｄを搬送する搬送ローラ７と、回転軸８１ａを中心に回動可能な上部フレーム８１と、回転軸８１ａを軸支する下部フレーム８２と、を備える。
【００１７】
さらに、上部フレーム８１は、ピックアップローラ２、給送ローラ３、レジストローラ５（上側）、イメージセンサー６１、及び搬送ローラ７（上側）を収容し、下部フレーム８２は、分離ローラ４、レジストローラ５（下側）、イメージセンサー６２、及び搬送ローラ７（下側）を収容する。
【００１８】
回転軸８１ａを軸支する部分（不図示）は、下部フレーム８２と一体に構成され、上部フレーム８１を挟み込むように両側面（図の手前と奥）に延びている。
【００１９】
次に、画像読取時の動作について説明する。スキャンが開始されると、画像読取装置１は、原稿検知センサ９を用いて原稿Ｄが存在するか否かを判定する。
【００２０】
原稿Ｄが存在していれば、原稿を給紙する前に、イメージセンサー６１，６２でそれぞれ白色部材８を読み取る。得られた読取信号からシェーディング補正用のデータを生成して画素毎に記憶する。
【００２１】
その後、原稿Ｄをピックアップローラ２と給送ローラ３によって装置内に取り込み、分離ローラ４によって１枚ずつに分離する。
【００２２】
原稿Ｄがレジストセンサ１０を通過すると、イメージセンサー６１、６２で、原稿Ｄの上面および下面を主走査方向に沿って読み取る。そして、画像データに対し、補正用データを用いシェーディング補正を実行する。
【００２３】
原稿Ｄの後端がレジストセンサ１０を通過し一定時間経過後、画像読取を終了し、原稿Ｄを搬送ローラ７によって装置外へ排出する。矢印は原稿が搬送される方向を示している。なお、上記シェーディング補正データの生成と記憶は、積載された原稿の全てに対して最初に１回行うだけでもよく、数枚ごとに再度行ってもよい。
【００２４】
ここで、例えば、紙詰まり等が発生した場合、ユーザーは上部フレーム８１を手動で開き、装置内に滞留した原稿Ｄを取り除くことができる。 
【００２５】
図２は、画像読取装置１の電気回路の概略構成を示すブロック図である。
Ａ／Ｄ変換部２１、２２は、ラインイメージセンサ６１、６２の出力信号を、増幅や黒レベルクランプなどのアナログ処理を施した後、デジタル変換し、画像データを生成する。
【００２６】
画像処理部２３は、ラインイメージセンサ６１と６２およびＡ／Ｄ変換部２１と２２の制御と、画像データにシェーディング補正などの画像処理を行う。画像メモリ２４は画像データ、補正用データを記憶する。
【００２７】
インターフェース部２５は、ＰＣなどの外部ホスト装置と通信するためのインターフェースであり、画像読取装置１はインターフェース部２５を介して外部ホスト装置と通信を行う。
【００２８】
なお、インターフェース部２５は、有線ＵＳＢ、有線ＬＡＮ、無線ＬＡＮ、ワイヤレスＵＳＢ、ブルートゥースなどである。
【００２９】
また、バス２６は、画像処理部２３とＣＰＵ２７を接続するバスである。ＣＰＵ２７は、画像処理部２３、駆動部２９とモータドライバ２８の制御を行う。なお、画像処理部２３を介して画像メモリ２３にアクセスも行う。
【００３０】
駆動部２９は、ピックアップローラ２、給送ローラ３、分離ローラ４、レジストローラ対５、搬送ローラ７を駆動するためのモータである。モータドライバ２８は、ＣＰＵ２７からの指示に基づいて駆動部２９を制御する。
【００３１】
図３は、画像読取装置１とＰＣ３０（外部ホスト装置）の接続構成の説明図である。画像読取装置１とＰＣ３０は机４０上に設置されている。
【００３２】
画像読取装置1は、インターフェース部２５、ＵＳＢケーブル３１を介してＰＣ３０と接続される。表示装置３２は、操作者に対して各種情報を表示するための表示ユニットである。操作部３３は、キーボードなどの入力デバイスである。
【００３３】
図４は、アプリケーション５０とスキャナドライバ５１の構成を示す図である。アプリケーション５０は、スキャナドライバ５１を介して画像読取装置１を制御する。
【００３４】
画像データが画像読取装置１からアプリケーション５０に渡るまでの処理について説明すると、画像読取装置１で読取られた画像は、スキャナドライバ５１を介しアプリケーション５０に渡る。
【００３５】
アプリケーション５０とスキャナドライバ５１との間はＴｗａｉｎ規格で決められたプロトコルで通信を行っている。スキャナドライバ５１と画像読取装置１との間では、ＵＳＢ規格で決められたプロトコルで通信を行っている。なお、ユーザーはアプリケーション５０とスキャナドライバ５１をＰＣ３０にインストールして使用する。
【００３６】
図５は、ユーザーインターフェース６０の一例を示した図である。ユーザーインターフェース６０は、ＰＣ３０の表示装置３２に表示される。ユーザーインターフェース６０では、カラーモード、読取サイズ、解像度、オートスキャンスタート機能(後述)と設置位置検出（後述）を設定できる。
【００３７】
ユーザーが、スキャンボタンを押下すると、アプリケーション５０はスキャナドライバ５１を介して、画像読取装置１にスキャン開始命令を送る。スキャン開始命令を受けると、画像読取装置１はスキャンを開始する。Ｃｌｏｓｅボタン押下するとユーザーインターフェース６０は終了する。
【００３８】
次にオートスキャンスタート機能について説明する。図６（ａ）は、オートスキャンスタート機能ＯＮのスキャンシーケンスを示し、図６（ｂ）はオートスキャンスタート機能ＯＦＦのスキャンシーケンスを示す。
【００３９】
まず、オートスキャンスタート機能ＯＮのときのスキャンシーケンスを説明する。ユーザーがユーザーインターフェース６０のスキャンボタンを押す（ステップＳ１０００）と、画像読取装置１は、原稿検知センサ９で、前部フレーム８３に原稿があるかどうかを調べる（１００１）。
【００４０】
原稿がない場合、原稿が置かれるまで待機する。原稿が置かれると、スキャンを開始し（１００２）、原稿が無くなるまでスキャンを行い終了する（ステップＳ１００３）。次にオートスキャンスタート機能ＯＦＦのスキャンシーケンスを説明する。
【００４１】
ユーザーがユーザーインターフェース６０のスキャンボタンを押す（ステップＳ１００４）と、画像読取装置１は、原稿検知センサ９で、原稿があるかどうかを調べる（１００５）。
【００４２】
原稿がない場合、「原稿がありません」エラーを表示装置３２に表示し（ステップＳ１００６）、スキャン処理を終了する（ステップＳ１００８）。原稿がある場合は、スキャンを開始し（ステップＳ１００７）、原稿がなくなるまでスキャンを行い終了する（ステップＳ１００８）。
【００４３】
次に画像読取装置１の設置位置検出手段について説明する。図７と８は、画像読取装置１の設置位置の図である。図７は、給紙口に原稿をセットする広さがある位置に画像読取装置１を設置した例である。
【００４４】
この場合、画像読取装置１の給紙口付近に原稿を置くスペース４１がある。図８は、机の端に画像読取装置１を設置した例である。この場合、給紙口付近に原稿を置くスペース４１がない。
【００４５】
この２つの設置状況の違いは、前部フレーム８３の開く角度である。図７の場合、机が前部フレーム８３を支えており、前部フレーム８３は、机と平行になる。
【００４６】
図８の場合、前部フレーム８３を支える机が無いため、前部フレーム８３は、机からの水平線８４よりも下側に傾く。この前部フレーム８３の２状態を利用して、画像読取装置１の設置位置を検出する。
【００４７】
図９は前部フレーム８３が開く角度を検知する検知部の説明図である。前部フレーム８３は接触センサ７０を備えており、図７の設置状況の場合、接触センサ７０は接触状態である。
【００４８】
図８の設置状況の場合、前部フレーム８３は机よりも下側に傾き、接触センサ７０の接触部分の一部が上方向に上がるため、接触部センサ７０は切断される。この接触センサ７０が接触しているか否かの確認は、画像読取装置１からＰＣ３０に対して所定の信号が送信され、あるいはＰＣ３０から画像読取装置１に対する問い合わせに基づく回答により、ＰＣ３０側で行うことが可能となる。
【００４９】
つまり、接触状態のときは、画像読取装置１が図７の設置状況にあることを示し、切断状態のときは、画像読取装置１が図８の設置状況にあることを示している。
【００５０】
次に、画像読取装置１の設置状況によって設定を切り替える切り替え処理について説明する。この処理は、ユーザーインターフェース６０上の設置位置検出設定で、ＯＮとＯＦＦを切り替えられる。
【００５１】
図１０は、設置位置検出手段の検出結果によって、設定を切り替えるシーケンス図である。アプリケーション５０がスキャナドライバ５１をロードすると（ステップＳ２０００）、スキャナドライバ５１は、設置位置検知設定がＯＮかどうかを確認する（ステップＳ２００１）。ステップＳ２００１では、スキャナドライバ５１が設置位置検知設定ＯＮかどうかを確認する場合について説明したが、アプリケーション５０が確認してもよい。
【００５２】
ステップＳ２００１においてＯＮの場合、ＣＰＵ２７（アプリケーション５０、あるいはスキャナドライバ５１でも良い）は、画像読取装置１の接触センサ７０が接触状態にあるかを判定する（ステップＳ２００２）。
【００５３】
非接触状態であれば、オートスキャンスタート機能をＯＮに変更し（ステップＳ２００３）、処理を終了する（ステップＳ２００５）。接触状態であれば、オートスキャンスタート機能をＯＦＦに変更する（ステップＳ２００４）。また、ステップＳ２００１において、設置位置検知設定がＯＦＦの場合、設定を変更せずに終了する（ステップＳ２００５）。
【００５４】
ここで、例えば、図８のように、手で原稿を支えながら原稿を給紙口に挿入すると、原稿は固定されていないため、原稿が斜めに給紙されやすい。このような場合、図１０のシーケンスにおいて、ＣＰＵ２７（アプリケーション５０、あるいはスキャナドライバ５１でも良い）は、オートスキャンスタート機能をＯＮにする（ステップＳ２００３）と同時に斜行補正処理（後述）もＯＮにすると、原稿が斜めに搬送されても、斜行補正処理によって、画像内の原稿部分を真っ直ぐに補正できる。
【００５５】
次に斜行補正について説明する。斜行補正は、画像内の原稿部分を搬送方向に対して平行にする画像処理である。
【００５６】
図１２は、画像読取装置１が読取った画像の例である。９１は原稿画像、９０は背景画像である。斜行補正処理は、画像を副走査方向と主走査方向に走査し（図矢印部分参照）、原稿と背景の濃度差が一定値を超えた座標位置を検知し、原稿画像の４辺（図では、辺９２〜９５となる。）を検出する。検出した４辺のうち一番長い辺を原稿の傾きとする。この傾き角度で原稿画像を回転処理し、原稿部分が搬送方向に対して平行になるように補正する。
【００５７】
斜行補正のＯＮとＯＦＦは、ユーザーインターフェース６０にラジオボタンを設け（不図示）、変更可能である。
【００５８】
また、上述した説明では、装置の設置位置により、ユーザーインターフェース６０の設定内容を自動で変更したが、変更する内容を画像読取装置１の制御方法にしてもよい。
【００５９】
例えば、図８の設置状況の場合、ユーザーが原稿を手で支えているので、画像読取装置１が勢いよく原稿を給紙すると、ユーザーの手も巻き込む危険性がある。この対策として、図８の設置状況を画像読取装置１が検知した場合、給紙が安定するまで、ゆっくり給紙を開始し、原稿がある程度装置内に引き込まれたら、給紙速度を上げる制御を行う。
【００６０】
また、図７の設置状況を画像読取装置１が検知した場合、画像読取装置１は給紙開始時から排紙終了時まで一定速度で、原稿搬送を行う。
【００６１】
ここで、図１４は、給紙制御のフローチャートを示す。まず画像読取装置１がスキャンを開始し（ステップＳ３０００）、低速で給紙を開始する（ステップＳ３００１）。一定時間低速で給紙し（ステップＳ３００２）、一定時間経過後、標準の速度で給紙を行い（ステップＳ３００３）、原稿を排紙する。
【００６２】
また、例えば、図１５の設置状況では、前部フレーム８３に備えられた接触センサ７０は接続状態であるが、原稿を支えるスペース４１がないので、ユーザーは原稿を手で支えている。
【００６３】
このような設置状況を画像読取装置１が検知するために、図１５の距離センサ１０１を用いる。この距離センサ１０１は、原稿を手で支えているユーザーの手を検知するために用いられる。
【００６４】
図１０のシーケンスにおいて、ステップＳ２００２の分岐で、接触センサ７０の代わりに、画像読取装置１は、距離センサ１０１を用いる。
【００６５】
画像読取装置１は、距離センサ１０１がユーザーの手を検知すると、オートスキャンスタートをＯＮにする（ステップＳ２００３）。
【００６６】
ユーザーの手を検知しない場合は、オートスキャンスタートをＯＦＦにする（ステップＳ２００４）。また、上述したように距離センサ１０１がユーザーの手を検知した場合は、画像読取装置１は、原稿を支えているユーザーの手を巻き込まないように、低速で給紙を開始し（ステップＳ３００１）、一定時間経過後、標準の速度で給紙を行い（ステップＳ３００３）、原稿搬送を行う。
【００６７】
距離センサ１０１がユーザーの手を検知しない場合は、画像読取装置１は、標準速度で給紙・搬送を行う。
【００６８】
以上、本発明により、給紙トレイ（シート載置台）を持たない画像読取装置において、装置の設置場所によって、ユーザーが読取設定を選択する手間を解消できる。
【００６９】
なお、上述した実施形態の説明では、図８の設置状況において、給紙速度を制御したが、ユーザーが原稿を給紙口に挿入したことを、画像読取装置１が原稿検知センサで検出したら、ピックアップローラを下げ、原稿を支える制御を行ってもよい。
【００７０】
また、設置位置検出機能として、画像読取装置１に傾きセンサ１００を備え、図１３のように、ユーザーが画像読取装置１を給紙口が下になるように、縦向きで、壁にかけたことを検出できるようにし、壁にかけた状況では、水平に設置されたときよりも、画像読取装置１は、ピックアップローラのトルクを上げて給紙する制御を行ってもよい。
【００７１】
また、設置位置検出手段として、ユーザーが画像読取装置１に通知するようにしてもよい。例えば、画像読取装置１にスイッチ（不図示）を設ける。
【００７２】
図１０のシーケンス２００２において、接触センサ７０の代わりにスイッチを用いる。画像読取装置１は、スイッチがＯＮのときは２００２の分岐でＹｅｓとして処理を行い、ＯＦＦのときはＮＯとして処理を行う。
【００７３】
また、上述した実施形態では、距離センサ１０１を用いて図１５の設置状況を検知したが、距離センサ１０１の代わりにカメラを用い、スペース４１があるかどうかを画像処理で検知してもよい。
【００７４】
また、接触センサ７０、距離センサ１０１またはカメラの代わりに、原稿検知センサ９を３つ用いてもよい。
【００７５】
例えば、図８や図１５の設置状況において、ユーザーが原稿を手で支えるとき、原稿にコシをつけるため、原稿をＵ字型にそらせることがある（図１６参照）。
【００７６】
図１６は、ユーザーが原稿Ｄをそらせて挿入したときの図である。原稿Ｄがそっている場合、原稿検知センサ９−１のみ原稿Ｄを検知し、原稿検知センサ９−２と９−３は原稿Ｄを検知しない。
【００７７】
図１０のシーケンスにおいて、接触センサ７０の代わりに、原稿検知センサ９を用いる。画像読取装置１は、原稿検知センサ９−１のみが原稿Ｄを検知すれば、２００２の分岐でＹｅｓとして処理を行い、原稿検知センサ３つのうちのどれか２つが原稿を検知した場合、ＮＯとして処理を行う。
【００７８】
以上、本発明を実施の形態に基づいて詳細に説明したが、本発明は上述した実施の形態に限定されるものではなく、本発明は、次のような態様を含む。
【００７９】
本発明の一態様としては、シートを装置本体内に取り込む取込手段と、前記装置本体内でシートに対する第１処理又は第２処理を行う処理手段と、前記装置本体の設置状況を検出する検出手段と、を備え、前記処理手段は、前記検知手段の検出結果に基づいて、前記第１処理又は前記第２処理を選択してシートに対する処理を実行することを特徴とするシート処理装置にある。
かかる本発明に態様によれば、シートを装置内に取り込んで所定の処理を施すにあたり、装置本体の設置状況に基づいてその処理内容を変更することにより、シートの処理に対してユーザーの手間を省くことができる。特に、処理手段は、装置本体の設置状況に適した処理となるように自動的に変更することにより、ユーザーが手間をかけずに設置状況に応じた処理を実施できる。ここでいう処理とは、例えば、シートに対する印刷処理、折り曲げ等の変形処理、打ち抜き処理、あるいはシート（シートに印刷された文字等の情報を有する原稿）の画像読取、あるいはシートが有する磁気情報を読み取る、等の各種処理を含む。第１処理又は第２処理を選択するとは、例えば、装置本体の設置状況（例えば、設置に伴う装置本体の姿勢等）に応じて第１処理とするか、第２処理とするかを内部処理として切り替えること等を含むものである。
【００８０】
また、上記本発明では、前記処理手段は、シートの画像を読み取る画像読取手段であり、前記第１処理と前記第２処理とは、異なる読取設定に基づく読取処理であることを特徴としてもよい。
かかる本発明の態様によれば、装置の設置状況に合わせた設定条件（例えば、斜行が生じやすい姿勢でのシート取込の場合、斜行補正を後処理条件に加える、あるいは、取込条件を変更する等）を含む読取処理を好適に行うことができる。
【００８１】
また、上記本発明では、前記処理手段は、画像読取手段が読み取った画像データの画像処理を行う画像処理手段であり、前記第１処理と前記第２処理とは、異なる画像処理の条件に基づく画像処理であることを特徴としてもよい。
かかる本発明の態様によれば、取得した画像データに対し、装置の設置状況に合わせた画像処理を行うことができる。
【００８２】
また、上記本発明では、前記取込手段によりシートを取り込む取込口にてシートの有無を検知するシート検知手段を更に備え、前記第１処理は、処理開始命令を受けたときに、前記シート検知手段がシートを検知するか否かに関わらず処理を開始する形態であり、前記第２処理は、処理開始命令を受けた後に、前記シート検知手段がシートを検知してから処理を開始する形態であることを特徴としてもよい。
かかる本発明の態様によれば、装置の設置状況に合わせた取込を行うことにより、ユーザーの手間を軽減することができる。
【００８３】
また、本発明の他の態様としては、原稿画像を読取る原稿読取手段と、原稿を給紙する原稿給紙手段と、給紙された原稿を画像読取手段に向け送り込む原稿送り手段と、を有する画像読取装置において、前記装置の設置位置を検知する設置位置検出手段と、前記装置が画像読取処理開始命令を受けたときに行う第１の原稿読取形態と、装置が画像読取処理開始命令を受けたときに行う、前記第１の原稿読取形態とは異なる第２の原稿読取形態と、を備え、前記設置位置検出手段の検知結果に基づいて、前記形態のどちらかを選択し、原稿の読取りを開始することを特徴とした画像読取装置にある。
かかる本発明の態様によれば、装置の設置状況に合わせてユーザーが望む原稿読取形態に切り替わるため、ユーザーの手間を軽減できる。
【００８４】
上記本発明では、給紙口にて原稿の有無を検知する原稿検知手段と、前記原稿検知手段にて原稿を検知するまで原稿読取の開始を待つ原稿読取開始待機手段をさらに備え、前記第１の原稿読取形態は、装置が画像読取処理開始命令を受けた後に即座に、画像読取を開始し、前記第２の原稿読取形態は、装置が画像読取処理開始命令を受けた後に前記原稿読取開始待機手段にて、待機し、原稿検知後に画像読取を開始することを特徴としてもよい。
かかる本発明の態様によれば、装置の設置状況とそのときの原稿の取り込み状況とを加味して、ユーザーが望む原稿読取形態（直ぐに取り込んでほしい場合、原稿検知後に取り込んでほしい場合など）にユーザーの手間をかけずに切り替えることができる。
【００８５】
また、上記本発明では、原稿画像内の原稿部分の傾きを補正する原稿画像傾き補正手段をさらに備え、前記第１の原稿読取形態は、原稿傾き補正手段で、読取った画像を傾き補正し、前記第２の原稿読取形態は、傾き補正処理を行わずに原稿を読取ることを特徴としてもよい。
かかる本発明の態様によれば、装置の設置状況が斜行し易い状況である場合には、傾き補正を行う形態に切り替え、装置の設置状況が斜行し難い状況である場合には、傾き補正を行わない形態に切り替えられるため、ユーザーの手間を軽減できる。
【００８６】
また、上記本発明では、前記装置の傾きを検出する装置角度検知手段と、搬送速度を制御する搬送速度制御手段と、を更に備え、前記第１の原稿読取形態は、前記搬送速度制御手段により搬送速度を低速から高速に上げる搬送制御を行い、原稿を読取り、前記第２の原稿読取形態は、前記搬送速度制御手段により一定速度で搬送制御を行い、原稿を読取り、前記装置角度検知手段の検知結果に基づいて、前記形態のどちらかを選択し、原稿の読取りを開始することを特徴としてもよい。
かかる本発明の態様によれば、装置の傾きに応じた原稿の読み取りを開始できるため、ユーザーの手間を軽減できる。
【符号の説明】
【００８７】
１…画像読取装置
２…ピックアップローラ
３…給送ローラ
４…分離ローラ
５…レジストローラ
７…搬送ローラ
８…白色部材
９…原稿検知センサ
１０…レジストセンサ
２０…電気回路
２１…ＡＤＣ
２２…ＡＤＣ
２３…画像処理部
２４…メモリ
２５…インターフェース部
２６…バス
２７…ＣＰＵ
２８…モータドライバ
２９…駆動部
３０…ＰＣ
３１…ＵＳＢケーブル
３２…表示部
３３…キーボード
４０…机
４１…原稿を置くスペース
４２…壁
５０…アプリケーション
５１…スキャナドライバ
６０…ユーザーインターフェース
６１、６２…インイメージセンサ
７０…接触センサ
８０…手
８１…上部ユニット
８１a…回転軸
８２…下部ユニット
８３…前部フレーム
８３a…回転軸
８４…水平線
９０…背景画像
９１…原稿画像
９２−９５…原稿画像の４辺
１００…傾きセンサ
１０１…距離センサ
【図１】
0006622524.tif 000002
【図２】
0006622524.tif 000003
【図３】
0006622524.tif 000004
【図４】
0006622524.tif 000005
【図５】
0006622524.tif 000006
【図６】
0006622524.tif 000007
【図７】
0006622524.tif 000008
【図８】
0006622524.tif 000009
【図９】
0006622524.tif 000010
【図１０】
0006622524.tif 000011
【図１１】
0006622524.tif 000012
【図１２】
0006622524.tif 000013
【図１３】
0006622524.tif 000014
【図１４】
0006622524.tif 000015
【図１５】
0006622524.tif 000016
【図１６】
0006622524.tif 000017